(57)【特許請求の範囲】
【請求項１】
住宅玄関に設置され、来訪請求者が居住支払者宛ての決済手続きを行うにあたり当該居住支払者を呼出すための呼出操作部（１０）及び前記来訪請求者が前記居住支払者との間で音声信号を送受信して通話を成立させるための玄関機通話部（１４）を有する玄関機（１）と、住宅内に設置され、前記来訪請求者からの呼出しに応答するための応答操作部（２１）及び前記居住支払者が前記来訪請求者との間で前記音声信号を送受信して通話を成立させるための居室機通話部（２０）を有する居室機（２ａ、２ｂ、・・・）とを備え、前記玄関機及び前記居室機の間が前記呼出しのための呼出信号や音声信号等のインターホン信号を送受信するための通信線（Ｌ１、Ｌ２）を経由して相互に接続されるインターホンシステムであって、
前記玄関機は、前記来訪請求者により操作され前記決済手続きに必要な請求額を入力するための請求用操作部（１１）を備え、
前記居室機は、前記居室機通話部の使用による通話成立時において前記居住支払者により操作され前記請求額を決済するために必要な支払方法を選択する支払用操作部（２２）と、前記支払用操作部により選択された支払方法に対応して前記居住支払者が携行する支払用携行手段（５ａ、５ｂ、・・・）に保存された当該請求額にかかる支払情報を読取るための支払情報読取部（２４）と、前記支払情報読取部にて読取られた前記支払情報を、前記通信線を経由して前記玄関機に送出するための居室機インターフェース（２８）とを備え、
前記玄関機は、前記通信線を経由して前記居室機から伝送されてくる前記支払情報を受信するための玄関機インターフェース（１８）を備え、
前記玄関機は、前記来訪請求者が携行する請求用携行手段（４）の請求用携行記憶部（４０）に保存された請求用公開鍵、前記請求用公開鍵とペアを構成する請求用秘密鍵及び前記請求用公開鍵に対応して前記来訪請求者が署名した内容の来訪請求者署名情報をそれぞれ読取るための請求情報読取部（１５）と、前記請求情報読取部にて読取られた前記来訪請求者署名情報を前記請求用秘密鍵により暗号化し、前記請求情報読取部にて読取られた前記請求用公開鍵とともに前記玄関機インターフェースから前記通信線を経由して前記居室機に送出するための請求用暗復号化処理部（１６）とを備え、
前記居室機は、認証事業者等の外部機関から予め提供される支払用事前信頼済公開鍵を保存するための居室機記憶部（２５）と、前記玄関機から前記通信線を経由して伝送されてくる前記暗号化された来訪請求者署名情報を、前記居室機記憶部から読出した前記支払用事前信頼済公開鍵により復号化するための支払用暗復号化処理部（２６）とを備え、
前記居室機の前記居室機記憶部は、支払用公開鍵、前記支払用公開鍵とペアを構成する支払用秘密鍵及び前記支払用公開鍵に対応して前記居住支払者が署名した内容の居住支払者署名情報をそれぞれ保存するための機能を有し、
前記居室機の前記支払用暗復号化処理部は、前記居室機記憶部から読出した前記居住支払者署名情報を前記支払用秘密鍵により暗号化し、前記居室機記憶部から読出した前記支払用公開鍵とともに前記居室機インターフェースから前記通信線を経由して前記玄関機に送出するための機能を有し、
前記請求用携行手段の前記請求用携行記憶部は、認証事業者等の外部機関から予め提供される請求用事前信頼済公開鍵を保存するための機能を有し、
前記玄関機の前記請求用暗復号化処理部は、前記居室機から前記通信線を経由して伝送されてくる前記暗号化された居住支払者署名情報を、前記請求情報読取部により前記請求用携行手段の前記請求用携行記憶部から読取られた前記請求用事前信頼済公開鍵によって復号化する機能を有することを特徴とするインターホンシステム。
【請求項２】
前記玄関機は、前記来訪請求者の映像を撮像して映像信号を生成するための映像撮像部（１２）を備え、
前記居室機は、前記玄関機の前記映像撮像部にて生成された前記映像信号を出画するための居室機表示部（２３）を備えることを特徴とする請求項１記載のインターホンシステム。
【請求項３】
前記玄関機の前記請求用暗復号化処理部は、前記請求用操作部の操作により入力された前記請求額を、前記支払用公開鍵又は前記請求用秘密鍵により暗号化する機能を有し、
前記居室機の前記支払用暗復号化処理部は、前記玄関機から通信線を経由して伝送されてくる前記暗号化された請求額を、前記支払用秘密鍵又は前記請求用公開鍵により復号化する機能を有することを特徴とする請求項１記載のインターホンシステム。
【請求項４】
前記居室機の前記支払用暗復号化処理部は、前記支払情報読取部にて読取られた支払情報を、前記請求用公開鍵により暗号化する機能を有し、
前記玄関機の前記請求用暗復号化処理部は、前記居室機から前記通信線を経由して伝送されてくる前記暗号化された支払情報を、前記請求用秘密鍵により復号化する機能を有することを特徴とする請求項１又は請求項３記載のインターホンシステム。
【請求項５】
前記玄関機は、集合住宅の集合玄関に設置される集合玄関機であり、
前記集合玄関機は、前記通信線のライン上を伝送される前記インターホン信号の送受信制御を行う制御機（３）を経由して前記居室機に接続されることを特徴とする請求項１乃至請求項４のうち何れか１項記載のインターホンシステム。
【請求項６】
前記通信線には、インターネット等の外部ネットワークに接続可能な外部インターフェース（３０）が接続され、
前記外部インターフェースは、前記決済手続きにかかる前記玄関機からの請求情報が検出されると、前記玄関機からの決済完了情報が検出されるまでの間、前記外部ネットワークとの間の接続を遮断するためのネットワーク監視部（３００）を備えることを特徴とする請求項１乃至請求項５のうち何れか１項記載のインターホンシステム。
【発明の詳細な説明】
【技術分野】
【０００１】
本発明は、来訪請求者が居住支払者宛ての決済手続きを行うインターホンシステムに係り、特に、リモート決済が可能なインターホンシステムに関する。
【背景技術】
【０００２】
従来から、来訪請求者が居住支払者宛ての決済手続き行うにあたっては、例えば、住戸玄関に居る来訪請求者が住戸内に在室中の居住支払者に対して決済媒体又は決済情報を直接手渡しする、インターホン通話を使用して口頭により認証情報を伝達する、又は第三者認証機関との連携による決済手続きが運用されている。
【０００３】
また、来訪者請求者によれば、居住支払者が在室中の住戸を直接訪れることなく、インターネット等のネットワークを経由したオンライン決済手段を選択することも可能である。このようなオンライン決済手段としては、例えば、所定の支払額を、ネットワークを経由して接続されるクレジット会社等の決済用のサーバに送信し、決済処理を依頼するような管理システムが開示されている（例えば、特許文献１を参照。）。
【先行技術文献】
【特許文献】
【０００４】
【特許文献１】特開２００６−２７７０２６号公報
【発明の開示】
【発明が解決しようとする課題】
【０００５】
しかしながら、背景技術に記載した各種の決済手続きにおいて、来訪請求者が居住支払者を直接訪れるにあたっては、居住支払者の都合が悪い場合であっても、この来訪タイミングに合わせて直接対面せねばならず利便性が悪かった。
【０００６】
また、インターホン通話を使用して口頭により認証情報を伝達するにあたっては、来訪請求者又は居住支払者のなりすましや、第三者による盗聴や情報漏洩のように、防犯性を確保するに十分な対策がなされていなかった。
【０００７】
また、第三者認証機関との連携においては、設備等の拡張や変更が必要な場合があり、居住支払者側の事前手続きや身支度等の手間や煩わしさが発生し、居住支払者にとって望まない支出や想定外の損害が発生する可能性があった。
【０００８】
さらに、オンライン決済手段を実行するにあたっては、居住支払者にとって来訪請求者を予め許容していない場合であっても、来訪請求者が指定するオンライン決済サービスの導入や契約が必要であった。
【０００９】
本発明は、これらの難点を解消するためになされたもので、オンライン決済サービス等の別途な契約やシステム設備の拡張・変更を伴わずに、来訪請求者による居住支払者宛ての決済手続きを行うことにより、安全かつ手軽で防犯性及び利便性が高められたリモート決済を可能したインターホンシステムを提供することを目的としている。
【課題を解決するための手段】
【００１０】
前述の目的を達成するため、本発明の第１の態様であるインターホンシステムは、住宅玄関に設置され、来訪請求者が居住支払者宛ての決済手続きを行うにあたり当該居住支払者を呼出すための呼出操作部及び来訪請求者が居住支払者との間で音声信号を送受信して通話を成立させるための玄関機通話部を有する玄関機と、住宅内に設置され、来訪請求者からの呼出しに応答するための応答操作部及び居住支払者が来訪請求者との間で音声信号を送受信して通話を成立させるための居室機通話部を有する居室機とを備え、玄関機及び居室機の間が呼出しのための呼出信号や音声信号等のインターホン信号を送受信するための通信線を経由して相互に接続されるインターホンシステムである。玄関機は、来訪請求者により操作され決済手続きに必要な請求額を入力するための請求用操作部を備えている。居室機は、居室機通話部の使用による通話成立時において居住支払者により操作され請求額を決済するために必要な支払方法を選択する支払用操作部と、支払用操作部により選択された支払方法に対応して居住支払者が携行する支払用携行手段に保存された当該請求額にかかる支払情報を読取るための支払情報読取部と、支払情報読取部にて読取られた支払情報を、通信線を経由して玄関機に送出するための居室機インターフェースとを備えている。玄関機は、通信線を経由して居室機から伝送されてくる支払情報を受信するための玄関機インターフェースを備えている。玄関機は、来訪請求者が携行する請求用携行手段の請求用携行記憶部に保存された請求用公開鍵、請求用公開鍵とペアを構成する請求用秘密鍵及び請求用公開鍵に対応して来訪請求者が署名した内容の来訪請求者署名情報をそれぞれ読取るための請求情報読取部と、請求情報読取部にて読取られた来訪請求者署名情報を請求用秘密鍵により暗号化し、請求情報読取部にて読取られた請求用公開鍵とともに玄関機インターフェースから通信線を経由して居室機に送出するための請求用暗復号化処理部とを備えている。居室機は、認証事業者等の外部機関から予め提供される支払用事前信頼済公開鍵を保存するための居室機記憶部と、玄関機から通信線を経由して伝送されてくる暗号化された来訪請求者署名情報を、居室機記憶部から読出した支払用事前信頼済公開鍵により復号化するための支払用暗復号化処理部とを備えている。居室機の居室機記憶部は、支払用公開鍵、支払用公開鍵とペアを構成する支払用秘密鍵及び支払用公開鍵に対応して居住支払者が署名した内容の居住支払者署名情報をそれぞれ保存するための機能を有している。居室機の支払用暗復号化処理部は、居室機記憶部から読出した居住支払者署名情報を支払用秘密鍵により暗号化し、居室機記憶部から読出した支払用公開鍵とともに居室機インターフェースから通信線を経由して玄関機に送出するための機能を有している。請求用携行手段の請求用携行記憶部には、認証事業者等の外部機関から予め提供される請求用事前信頼済公開鍵を保存するための機能を有している。玄関機の請求用暗復号化処理部は、居室機から通信線を経由して伝送されてくる暗号化された居住支払者署名情報を、請求情報読取部により請求用携行手段の請求用携行記憶部から読取られた請求用事前信頼済公開鍵によって復号化する機能を有している。
【００１１】
この態様のインターホンシステムによれば、来訪請求者が居住支払者宛ての決済手続きを行うにあたり、玄関機から居室機に伝送される請求情報の送出タイミング及び居室機から玄関機に伝送させる支払情報の送出タイミングがそれぞれ、来訪請求者及び居住支払者の間で成立される通話成立時に限定されるため、来訪請求者が居住支払者を直接訪れる必要はなく、また、居住支払者の都合が悪い場合には、この決済手続きを容易に停止できることから、居住支払者にとっての利便性が高められる。この態様のインターホンシステムによれば、来訪請求者が居住支払者宛ての決済手続きを行うにあたり、その前提として、居住支払者によれば、来訪請求者の身元及び請求用公開鍵が正当であることを具体的な支払手続きの前に確認することができ、例えば、来訪請求者がなりすまし等であっても、容易に判断可能であり防犯性が高められる。この態様のインターホンシステムによれば、来訪請求者が居住支払者宛ての決済手続きを行うにあたり、その前提として、来訪者請求者によれば、居住支払者の身元、及びその署名情報が正当であることを具体的な請求額の通知の前に確認することができ、例えば、居住支払者がなりすまし等であっても、容易に判断可能であり防犯性が高められる。
【００１２】
また、本発明の第２の態様であるインターホンシステムは、本発明の第１の態様において、玄関機は、来訪請求者の映像を撮像して映像信号を生成するための映像撮像部を備えている。居室機は、玄関機の映像撮像部にて生成された映像信号を出画するための居室機表示部を備えている。
【００１３】
この態様のインターホンシステムによれば、来訪請求者が居住支払者宛ての決済手続きを行うにあたり、その前提として、来訪請求者の映像をもとに居住支払者に対して視覚的に確認させることで、通話成立時における聴覚的な確認のみならず、より効果的に来訪請求者の判別が可能となり、防犯性が高められる。
【００１４】
また、本発明の第３の態様であるインターホンシステムは、本発明の第１の態様において、玄関機の請求用暗復号化処理部は、請求用操作部の操作により入力された請求額を、支払用公開鍵又は請求用秘密鍵により暗号化する機能を有している。居室機の支払用暗復号化処理部は、玄関機から通信線を経由して伝送されてくる暗号化された請求額を、支払用秘密鍵又は請求用公開鍵により復号化する機能を有している。
【００１５】
この態様のインターホンシステムによれば、来訪請求者が居住支払者宛ての決済手続きを行うにあたり、来訪請求者からの請求額を、正当かつ安全な情報として居住支払者に通知することができるばかりでなく、通話成立時における音声信号のような口頭により認証伝達する必要がないため、第三者による盗聴や情報漏洩の発生を未然に防止することができ防犯性が高められる。
【００１６】
また、本発明の第４の態様であるインターホンシステムは、本発明の第１の態様又は第３の態様において、居室機の支払用暗復号化処理部は、支払情報読取部にて読取られた支払情報を、請求用公開鍵により暗号化する機能を有している。玄関機の請求用暗復号化処理部は、居室機から通信線を経由して伝送されてくる暗号化された支払情報を、請求用秘密鍵により復号化する機能を有している。
【００１７】
この態様のインターホンシステムによれば、来訪請求者が居住支払者宛ての決済手続きを行うにあたり、来訪請求者からの請求額に対応して選択された居住支払者による支払情報を、正当かつ安全な情報として来訪請求者に通知することができる。
【００１８】
また、本発明の第５の態様であるインターホンシステムは、本発明の第１の態様乃至第４の態様のうち何れか１の態様において、玄関機は、集合住宅の集合玄関に設置される集合玄関機であり、集合玄関機は、通信線のライン上を伝送されるインターホン信号の送受信制御を行う制御機を経由して居室機に接続されるものである。この態様のインターホンシステムによれば、来訪請求者が居住支払者宛ての決済手続きを行う集合住宅用の当該システムに適用することができる。
【００１９】
また、本発明の第６の態様であるインターホンシステムは、本発明の第１の態様乃至第５の態様のうち何れか１の態様において、通信線には、インターネット等の外部ネットワークに接続可能な外部インターフェースが接続されている。外部インターフェースは、決済手続きにかかる玄関機からの請求情報が検出されると、玄関機からの決済完了情報が検出されるまでの間、外部ネットワークとの間の接続を遮断するためのネットワーク監視部を備えている。
【００２０】
この態様のインターホンシステムによれば、来訪請求者が居住支払者宛ての決済手続きを行うにあたり、その手続き中は、インターネット等の外部ネットワークとの間の接続が遮断されるため、情報漏洩の発生が未然に防止されることで防犯性が高められる。
【発明の効果】
【００２１】
本発明のインターホンシステムによれば、オンライン決済サービス等の別途な契約やシステム設備の拡張・変更を必要とせず、また、来訪請求者が居住支払者を直接訪れることを必要としない状態で、来訪請求者による居住支払者宛ての決済手続きを、通話成立時において安全かつ手軽に行うことができる。特に、居住支払者にとっては、来訪請求者の身元や請求額等の正当性を容易に確認することが可能で、具体的な支払い手続きを行うにあたっての防犯性が高められる。一方、来訪請求者にとっては、居住支払者の身元や支払手続きにかかる支払情報等の正当性を容易に確認することが可能で防犯性が高められる。
及び利便性が高められた決済手続きを行うことができる。
【００２２】
また、本発明のインターホンシステムによれば、来訪請求者が居住支払者宛ての決済手続きが開始され、その手続きが終了するまでの間、インターネット等の外部ネットワークとの間の接続が遮断されるため、情報漏洩の発生が未然に防止されることで防犯性が高められる。
【図面の簡単な説明】
【００２３】
【図１】本発明の実施例によるインターホンシステムの全体構成を示すシステム説明図。
【図２】本発明の実施例によるインターホンシステムにおいて、集合玄関機（玄関機）の具体的な構成を示すブロック図。
【図３】本発明の実施例によるインターホンシステムにおいて、居室機の具体的な構成を示すブロック図。
【図４】本発明の実施例によるインターホンシステムにかかる決済手続きであって、第１の請求／支払動作を示すフローチャート図。
【図５】本発明の実施例によるインターホンシステムにかかる決済手続きであって、第２の請求／支払動作を示すフローチャート図。
【発明を実施するための形態】
【００２４】
以下、本発明のインターホンシステムを適用した実施の形態例について、図面を参照して説明する。
【００２５】
図１は、本発明の実施例によるインターホンシステムの全体構成を示すシステム説明図である。このインターホンシステムは、例えば、マンション等の集合住宅に適用される当該システムであって、集合玄関に設置される集合玄関機１と、Ａ号室、Ｂ号室、・・・のような複数の住戸の住戸内にそれぞれ設置される居室機２ａ、２ｂ、・・・と、玄関機ラインＬ１を経由して接続される集合玄関機１、居室機ラインＬ２を経由して接続、例えば、バス接続される居室機２ａ、２ｂ、・・・をそれぞれ制御するための制御機３とが備えられている。なお、玄関機ラインＬ１、居室機ラインＬ２はそれぞれ通信線であって、集合玄関機１から居室機２ａ、２ｂ、・・・のうち特定の当該居室機への呼出時における呼出信号、映像信号等のインターホン信号の伝送や、集合玄関機１及び特定の当該居室機の間で成立される通話（通話成立）時における（インターホン信号の）音声信号の送受信を行うものである。
【００２６】
同図に示す集合玄関機１には、呼出操作部１０、請求用操作部１１、映像撮像部１２、玄関機表示部１３、玄関機通話部１４及び請求情報読取部１５が備えられている。
【００２７】
この集合玄関機１において、呼出操作部１０は、集合玄関に居る例えば、決済手続きを行うための来訪者請求者が、決済手続きの対象である特定の住戸内に在室中の居住支払者を呼出すために操作するものであって、例えば、テンキーボタン、呼出ボタンや玄関機表示部１３の画面上のタッチパネルが好適とされる。
【００２８】
請求用操作部１１は、来訪者請求者により操作され、決済手続きに必要な請求額を入力するためのものであって、例えば、テンキーボタンや玄関機表示部１３の画面上のタッチパネルが好適とされる。
【００２９】
映像撮像部１２は、呼出操作部１０にて所定の呼出操作を行った来訪請求者の映像（集合玄関の周囲環境下の映像を含む。）を撮像して映像信号を生成するためのであって、例えば、ＣＣＤ、ＣＭＯＳ等の各種カメラが好適とされる。
【００３０】
玄関機表示部１３は、呼出操作部１０及び請求用操作部１１にかかる操作情報や操作表示情報を表示するためのものであって、例えば、ＬＣＤ、有機ＥＬディスプレイ等の各種表示媒体が好適とされる。
【００３１】
玄関機通話部１４は、来訪者請求者が居住支払者との間で通話を成立させるための音声信号を送受信するものであって、玄関機マイク１４０及び玄関機スピーカ１４１が備えられている。なお、玄関機通話部１４としては、前述のような玄関機マイク１４０及び玄関機スピーカ１４１の使用によるハンズフリー通話（拡声通話）の態様に限定されるものではなく、図示しないハンドセットの使用によるハンドセット通話を適用することもできる。
【００３２】
請求情報読取部１５は、来訪請求者により携行される請求用携行手段を構成する例えば、ＰＣ、ＰＤＡ等の請求用携行端末４の請求用携行記憶部４０に保存された請求用公開鍵、当該請求用公開鍵とペアを構成する請求用秘密鍵及び当該請求用公開鍵に対応して来訪請求者が署名した内容の来訪請求者署名情報をそれぞれ読取るためのものである。なお、請求情報読取部１５としては、集合玄関機１の後述する（図２のブロック図に示す）玄関機ＣＰＵ１７に接続されて制御される限り、当該集合玄関機の機器内に内蔵される内蔵型、又は当該集合玄関機と別体で例えば、有線接続される外部接続型の何れの態様であってもよい。
【００３３】
なお、請求用携行端末４の請求用携行記憶部４０には、前述の請求用公開鍵、請求用秘密鍵及び来訪請求者署名情報のみならず、認証事業者、例えば、ベリサイン等の外部機関（図示せず。）から予め提供される請求用事前信頼済公開鍵を工場出荷時等に保存させておくことができる。この請求用携行記憶部４０によれば、請求用公開鍵、請求用秘密鍵及び来訪請求者署名情報が保存される記憶部と、請求用事前信頼済公開鍵が保存される記憶部とを、別途異なる当該記憶部として設けることもできる。
【００３４】
また、同図に示す居室機２ａ、２ｂ、・・・はそれぞれ同様な構成であり、居室機通話部２０、応答操作部２１、支払用操作部２２、居室機表示部２３、支払情報読取部２４及び居室機記憶部２５が備えられている。
【００３５】
この居室機２ａ、２ｂ、・・・において、居室機通話部２０は、居住支払者が来訪者請求者との間で通話を成立させるための音声信号を送受信するものであって、居室機マイク２００及び居室機スピーカ２０１が備えられている。また、居室機通話部２００の居室機スピーカ２０１は、前述の通話機能のみならず、来訪請求者からの呼出しがある旨の呼出音や音声メッセージ、来訪請求者による決済手続きが完了した旨の確認音や音声メッセージ等を出力することができる。なお、居室機通話部２０としては、前述のような居室機マイク２００及び居室機スピーカ２０１の使用によるハンズフリー通話（拡声通話）の態様に限定されるものではなく、図示しないハンドセットの使用によるハンドセット通話を適用することもできる。
【００３６】
応答操作部２１は、居住支払者が来訪請求者からの呼出しに応答し居室機通話部２０の使用による通話を成立させるとともに、成立中の通話を終了するための操作を行うためのものであって、例えば、通話ボタンや居室機表示部２３の画面上のタッチパネルが好適とされる。
【００３７】
支払用操作部２２は、居室機通話部２０の使用による通話（通話成立）時において居住者支払者により操作され、来訪請求者による決済手続きに対して居住者支払者が支払うべき請求額を決済するために必要な支払方法を選択するものであり、例えば、居室機表示部２３の画面上のタッチパネルが好適とされる。
【００３８】
居室機表示部２３は、集合玄関機１の映像撮像部１２にて生成された映像信号を出画するとともに、来訪請求者からの呼出しがある旨の呼出メッセージや絵データを表示するためのものであり、例えば、ＬＣＤ、有機ＥＬディスプレイ等の各種表示媒体が好適とされる。また、居室機表示部２３は、前述の映像出画機能及び呼出報知機能のみならず、来訪請求者による決済手続きにかかる具体的な内容やその決済手続きが完了した旨の確認メッセージや絵データを表示することができる。
【００３９】
支払情報読取部２４は、居住支払者により携行される例えば、クレジットカード、ＩＣカード、携帯電話、スマートフォン等の支払用携行手段５ａ、５ｂ、・・・に保存された前述の請求額にかかる支払情報を読取るためのものであって、例えば、磁気カードリーダ、ＩＣカードリーダ等の各種データ読取媒体が好適とされる。なお、支払情報読取部２４としては、居室機２ａ、２ｂ、・・・の後述する（図３のブロック図に示す）居室機ＣＰＵ２７に接続されて制御される限り、当該居室機の機器内に内蔵される内蔵型、又は当該居室機と別体で例えば、有線接続される外部接続型の何れの態様であってもよい。
【００４０】
居室機記憶部２５は、支払用公開鍵、当該支払用公開鍵とペアを構成する支払用秘密鍵及び当該支払用公開鍵に対応して居住支払者が署名した内容の居住支払者署名情報を保存するとともに、認証事業者、例えば、ベリサイン等の外部機関（図示せず。）から予め提供される支払用事前信頼済公開鍵を工場出荷時等に保存するためのものである。また、居室機記憶部２５や前述の（請求用携行端末４の）請求用携行記憶部４０としては、例えば、ＲＯＭ、ＲＡＭ、ＥＥＰＲＯＭ等の各種記憶媒体が好適とされる。
【００４１】
なお、居室機記憶部２５によれば、支払用公開鍵、支払用秘密鍵及び居住支払者署名情報が保存される記憶部と、支払用事前信頼済公開鍵が保存される記憶部とを、別途異なる当該記憶部として設けることもできる。
【００４２】
さらに、同図に示す制御機３は、通信線を構成する玄関機ラインＬ１、居室機ラインＬ２がそれぞれ接続され、インターネット等の外部ネットワーク６に接続可能な外部インターフェース（以下、外部Ｉ／Ｆという。）３０を有している。この外部Ｉ／Ｆ３０には、玄関機ラインＬ１を経由して決済手続きにかかる集合玄関機１からの請求情報が検出されると、集合玄関機１からの決済完了情報が検出されるまでの間、外部ネットワーク６との間の接続を遮断するためのネットワーク監視部３００が備えられている。
【００４３】
次に、集合玄関機１の具体的な構成について、図２のブロック図を参照して説明する。同図に示す集合玄関機１には、前述の呼出操作部１０、請求用操作部１１、映像撮像部１２、玄関機表示部１３、玄関機通話部１４及び請求情報読取部１５と、請求用暗復号化処理部１６、玄関機ＣＰＵ１７及び玄関機インターフェース（以下、玄関機Ｉ／Ｆという。）１８とが備えられている。
【００４４】
この集合玄関機１において、請求用暗復号化処理部１６は、その暗号化機能として、請求情報読取部１５にて請求用携行端末４の請求用記憶部４０から読取られる前述の来訪請求者署名情報を請求用秘密鍵により暗号化し、同様に読取られる請求用公開鍵とともに（玄関機ＣＰＵ１７に接続される）玄関機Ｉ／Ｆ１８から玄関機ラインＬ１、制御機３、居室機ラインＬ２を経由して居住支払者が在室中の住戸内の当該居室機に送出するとともに、請求用操作部１１の使用により入力される請求額を、前述の支払用公開鍵又は請求用秘密鍵により暗号化して同様な経路で居住支払者が在室中の住戸内の当該居室機に送出することができる。一方、請求用暗復号化処理部１６は、その復号化機能として、居室機２ａ、２ｂ、・・・から伝送されてくる暗号化された居住支払者署名情報を、請求情報読取部１５にて請求用携行端末４の請求用記憶部４０から読取られる前述の請求用事前信頼済公開鍵により復号化するとともに、同様に居室機２ａ、２ｂ、・・・から伝送されてくる暗号化された支払情報を、前述の請求用秘密鍵により復号化することができる。
【００４５】
玄関機ＣＰＵ１７は、当該集合玄関機の構成各部を制御するためのものである。また、玄関機Ｉ／Ｆ１８は、映像撮像部１２から玄関機ラインＬ１への信号伝送路、玄関機通話部１４及び玄関機ラインＬ１間の双方向の信号伝送路（下り／上り方向の通話路）、玄関機ＣＰＵ１７及び玄関機ラインＬ１間の双方向の信号伝送路をそれぞれ形成するためのものである。
【００４６】
また、集合玄関機１によれば、前述の構成各部（１０、１１、１２、１３、１４、１５、１６、１７、１８）のみならず、破線で示すように、玄関機ＣＰＵ１７からのデータ出力を請求用携行端末４に送出するための出力インターフェース（出力Ｉ／Ｆ）を備えることもできる。なお、出力Ｉ／Ｆが有する機能は、請求情報読取部１５に備えることもできる。
【００４７】
次に、居室機２ａ、２ｂ、・・・の具体的な構成について、図３のブロック図を参照して説明する。同図に示す居室機２ａ、２ｂ、・・・には、前述の居室機通話部２０、応答操作部２１、支払用操作部２２、居室機表示部２３、支払情報読取部２４及び居室機記憶部２５と、支払用暗復号化処理部２６、居室機ＣＰＵ２７及び居室機インターフェース（以下、居室機Ｉ／Ｆという。）２８とが備えられている。
【００４８】
この居室機２ａ、２ｂ、・・・において、支払用暗復号化処理部２６は、その暗号化機能として、居室機記憶部２５から読出した居住支払者署名情報を支払用秘密鍵により暗号化し、同様に読取られる支払用公開鍵とともに（居室機ＣＰＵ２７に接続される）居室機Ｉ／Ｆ２８から居室機ラインＬ２、制御機３、玄関機ラインＬを経由して集合玄関機１に送出するとともに、支払情報読取部２４にて支払用携行手段５ａ、５ｂ、・・・から読取られる支払情報を、集合玄関機１から伝送されてくる前述の請求用公開鍵により暗号化して同様な経路で当該集合玄関機に送出することができる。一方、支払用暗復号化処理部２６は、その復号化機能として、前述の請求用公開鍵と同様な経路で集合玄関機１から伝送されてくる暗号化された来訪請求者署名情報を、居室機記憶部２５から読出した支払用事前信頼済公開鍵により復号化するとともに、前述の請求用公開鍵及び来訪請求者署名情報と同様な経路で集合玄関機１から伝送されてくる請求額（にかかる情報）を、居室機記憶部２５から読出した支払用秘密鍵又は前述の請求用公開鍵により復号化することができる。
【００４９】
居室機ＣＰＵ２７は、当該居室機の構成各部を制御するためのものである。また、居室機Ｉ／Ｆ２８は、居室機通話部２０及び居室機ラインＬ２間の双方向の信号伝送路（下り／上り方向の通話路）、居室機ラインＬ２から居室機表示部２３への信号伝送路、居室機ＣＰＵ２７及び居室機ラインＬ２間の双方向の信号伝送路をそれぞれ形成するためのものである。
【００５０】
このように構成された本発明の実施例によるインターホンシステムにおいて、以下、具体的な決済手続きにかかる動作について、図１乃至図３と、第１の請求／支払動作を示す図４のフローチャート図、第２の請求／支払動作を示す図５のフローチャート図とをそれぞれ参照して説明する。
【００５１】
図１に示す集合住宅の各住戸内に在室中の居住者のうち、ここでは、Ａ号室内に在室中の居住者が決済手続き行う対象の居住支払者であるとき、来訪請求者によれば、自身が携行する請求用携行端末４の請求用携行記憶部４０に、前述の請求用公開鍵、請求用秘密鍵来訪請求者署名情報及び請求用事前信頼済公開鍵をそれぞれ、予め保存させておく。また、集合住宅の各住戸内に設置される居室機２ａ、２ｂ、・・・の居室機記憶部２５についても、前述の支払用公開鍵、支払用秘密鍵、居住支払者署名情報及び支払用事前信頼済公開鍵がそれぞれ、予め保存されているものとする。
【００５２】
次に、請求用携行端末４を携行している来訪請求者によれば、決済手続きを行う前提として、図１、図２に示す集合玄関機１の呼出操作部１０を使用してＡ号室内に在室中の居住支払者を呼出すための所定の呼出操作を行う。この操作を検出した玄関機ＣＰＵ１７は、呼出先であるＡ号室内の居室機２ａを指定するための居室機番号、呼出元である集合玄関機１を示す玄関機番号が付加された呼出信号を生成するとともに、映像撮像部１１を制御し、呼出操作を行った来訪請求者の映像（集合玄関の周囲環境下の映像を含む。）の撮像を開始させることにより映像信号が生成される。
【００５３】
また、集合玄関機１の玄関機ＣＰＵ１７にて生成された呼出信号、映像撮像部１１にて生成された映像信号はそれぞれ、所定の伝送フォーマットで、玄関機Ｉ／Ｆ１８から玄関機ラインＬ１、制御機３、居室機ラインＬ２を経由して図３に示す居室機２ａ、２ｂ、・・・の居室機Ｉ／Ｆ２８にマルチキャストでフレーム毎に伝送される。
【００５４】
居室機２ａ、２ｂ、・・・において、居室機ＣＰＵ２７はそれぞれ、居室機Ｉ／Ｆ２８にて受信された呼出信号に付加されている居室番号と自居室機に予め割当てられている居室機番号とを照合し、当該居室機番号が一致した場合にのみ、来訪請求者からの呼出しがある旨の呼出報知を、居室機通話部２０の居室機スピーカ２０１からの呼出音や音声メッセージの出力、居室機表示部２３への呼出メッセージや絵データの表示で行うことができ、さらには、居室機表示部２３を映像出画可能な状態に制御する。ここでは、居室機２ａの居室機ＣＰＵ２７のみ当該居室機番号が一致し、前述の呼出報知が行われるとともに、居室機Ｉ／Ｆ２８にて受信された映像信号、すなわち、集合玄関機１の映像撮像部１１にて撮像された来訪請求者の映像を居室機表示部２３に出画させることができる。
【００５５】
次に、前述のような呼出報知及び映像の出画をもとに、来訪請求者からの呼出しがあることを確認したＡ号室内に在室中の居住支払者が、図１、図２に示す居室機２ａの応答操作部２１を使用して所定の応答操作を行うと、この操作を検出した居室機ＣＰＵ２７、制御機３及び図３に示す集合玄関機１の玄関機ＣＰＵ１７の制御（詳述せず。）により、居住支払者が使用する居室機通話部２０の居室機マイク２００から居室機Ｉ／Ｆ２８、居室機ラインＬ２、制御機３、玄関機ラインＬ１、集合玄関機１の玄関機Ｉ／Ｆ１８を経由して来訪請求者が使用する玄関機通話部１４の玄関機スピーカ１４１までの信号伝送路（上り方向の通話路）と、来訪請求者が使用する玄関機通話部１４の玄関機マイク１４０から玄関機Ｉ／Ｆ１８、玄関機ラインＬ１、制御機３、居室機ラインＬ２、居室機２ａの居室機Ｉ／Ｆ２８を経由して居住支払者が使用する居室機通話部２０の居室機スピーカ２０１までの信号伝送路（下り方向の通話路）とがそれぞれ形成され、形成された信号伝送路を経由して音声信号を送受信することで通話が成立する。
【００５６】
前述のような通話成立時において、来訪請求者によれば、Ａ号室内に在室中の居住支払者に対して決済手続きが必要であることを通知することができる。一方、この居住支払者によれば、具体的な決済手続きを開始するにあたり、防犯性を高めるため、来訪請求者の正当性等を事前に確認する必要があることから、請求用携行端末４の請求用携行記憶部４０に保存されている請求用公開鍵と、この請求用公開鍵に対応して当該来訪請求者が署名した内容の来訪請求者署名情報を居室機２ａに送出するように通知することができる。
『第１の請求／支払動作（図４を参照。）』
次に、第１の請求／支払動作として、前述のような通話成立時において決済手続きを開始するにあたり（ステップＳＴ１）、来訪請求者によれば、自身が携行している図１、図２に示す請求用携行端末４の請求用携行記憶部４０に保存されている請求用公開鍵、請求用秘密鍵及び来訪請求者署名情報をそれぞれ、集合玄関機１の請求情報読取部１５にて読取らせる。
【００５７】
また、集合玄関機１の玄関機ＣＰＵ１７は、請求用暗復号化処理部１６を制御し、請求情報読取部１５にて読取られた請求用公開鍵請求用秘密鍵及び来訪請求者署名情報のうち、来訪請求者署名情報について請求用秘密鍵により暗号化させ、前述の請求用公開鍵及び暗号化された来訪請求者署名情報に、送信先であるＡ号室内の居室機２ａを指定するための居室機番号、送信元である集合玄関機１を示す玄関機番号を付加した請求情報信号を生成する。この請求情報信号は、前述の呼出信号と同様な信号伝送路を経由して図３に示す居室機２ａ、２ｂ、・・・の居室機Ｉ／Ｆ２８に伝送される（ステップＳＴ２）。
【００５８】
なお、制御機３において、玄関機ラインＬ１、居室機ラインＬ２にそれぞれ接続された外部Ｉ／Ｆ３０のネットワ−ク監視部３００は、集合玄関機１からの請求情報信号を受信すると、インターネット等の外部ネットワーク６との間の接続を遮断することができる。
【００５９】
居室機２ａ、２ｂ、・・・において、居室機ＣＰＵ２７はそれぞれ、居室機Ｉ／Ｆ２８にて受信された請求情報信号に付加されている居室番号と自居室機に予め割当てられている居室機番号とを照合し、当該居室機番号が一致した場合にのみ、請求用公開鍵及び暗号化された来訪請求者署名情報がそれぞれ、自居室機宛ての当該鍵及び情報であると判断する。ここでは、居室機２ａの居室機ＣＰＵ２７のみ当該居室機番号が一致し、請求用公開鍵及び暗号化された来訪請求者署名情報が有効であると判断される。
【００６０】
この後、居室機２ａの居室機ＣＰＵ２７は、支払用暗復号化処理部２６を制御し、有効であると判断した来訪請求者署名情報について、居室機記憶部２５から読出した支払用事前信頼済公開鍵により復号化させることで、来訪請求者の身元及び請求用公開鍵が正当であると判断し（ステップＳＴ３）、居室機記憶部２５に保存されている支払用公開鍵、支払用秘密鍵及び居住支払者署名情報をそれぞれ読出す。
【００６１】
また、居室機２ａの居室機ＣＰＵ２７は、支払用暗復号化処理部２６を制御し、居室機記憶部２５から読出した支払用公開鍵、支払用秘密鍵及び居住支払者署名情報のうち、居住支払者署名情報について支払用秘密鍵により暗号化させ、前述の支払用公開鍵及び暗号化された居住支払者署名情報に、送信先である集合玄関機１を指定するための玄関機番号、送信元であるＡ号室内の居室機２ａを示す居室機番号を付加した第１の支払情報信号を生成する。この第１の支払情報信号は、前述の呼出信号、請求情報信号と逆の信号伝送路を経由して集合玄関機１の玄関機Ｉ／Ｆ１８に伝送される（ステップＳＴ４）。
【００６２】
なお、居室機２ａの居室機ＣＰＵ２７によれば、前述のような、来訪請求者の身元及び請求用公開鍵が正当である旨の情報について、例えば、居室機表示部２３における確認メッセージや絵データの表示で居住通知者に通知することができる。
【００６３】
集合玄関機１の玄関機ＣＰＵ１７は、玄関機Ｉ／Ｆ１８にて受信された第１の支払情報信号に付加されている玄関機番号と自玄関機に予め割当てられている玄関機番号とが一致し、支払用公開鍵及び暗号化された居住支払者署名情報が自玄関機宛ての当該鍵及び情報であると判断する。
【００６４】
また、集合玄関１の玄関機ＣＰＵ１７は、請求用暗復号化処理部１６を制御し、有効であると判断した居住支払者署名情報について、請求情報読取部１５により請求用携行端末４の請求用携行記憶部４０から読取られた請求用事前信頼済公開鍵によって復号化させることで、居住支払者の身元及び支払用公開鍵が正当であると判断する（ステップＳＴ５）。
【００６５】
さらに、集合玄関機１の玄関機ＣＰＵ１７によれば、前述のような、居住支払者の身元及び支払用公開鍵が正当である旨の情報について、例えば、玄関機表示部１３における確認メッセージや絵データの表示で来訪請求者に通知することができる。
【００６６】
なお、請求用携行端末４に表示機能、例えば、端末表示部（図示せず。）が備えられている場合、集合玄関機１の玄関機ＣＰＵ１７は、前述のような、居住支払者の身元及び支払用公開鍵が正当である旨の情報を生成し、破線で示す出力Ｉ／Ｆを経由して請求用携行端末４に送出することで、例えば、端末表示部における確認メッセージや絵データの表示で来訪請求者に通知することもできる。
【００６７】
この後、来訪請求者は、集合玄関機１の請求用操作部１１を使用して決済手続きに必要な請求額を入力する。この操作を検出した玄関機ＣＰＵ１７は、請求用暗復号化処理部１６を制御し、請求額について、前述のように有効であると判断した支払用公開鍵により暗号化させ、この暗号化された請求額情報に、送信先であるＡ号室内の居室機２ａを指定するための居室機番号、送信元である集合玄関機１を示す玄関機番号を付加した請求額情報信号を生成する。この請求額情報信号は、前述の呼出信号、請求情報信号と同様な信号伝送路を経由して居室機２ａ、２ｂ、・・・の居室機Ｉ／Ｆ２８に伝送される（ステップＳＴ６）。
【００６８】
なお、請求用携行端末４に操作機能、例えば、端末操作部（図示せず。）が備えられている場合、来訪請求者は、この端末操作部を使用して決済手続きに必要な請求額を入力し、集合玄関機１の請求情報読取部１５にて読取らせることもできる。
【００６９】
居室機２ａ、２ｂ、・・・において、居室機ＣＰＵ２７はそれぞれ、居室機Ｉ／Ｆ２８にて受信された請求額情報信号に付加されている居室番号と自居室機に予め割当てられている居室機番号とを照合し、当該居室機番号が一致した場合にのみ、請求額情報が自居室機宛ての当該情報であると判断する。ここでは、居室機２ａの居室機ＣＰＵ２７のみ当該居室機番号が一致し、請求額情報が有効であると判断される。
【００７０】
また、居室機２ａの居室機ＣＰＵ２７は、支払用暗復号化処理部２６を制御し、有効であると判断した請求額情報について、居室機記憶部２５から読出した支払用秘密鍵により復号化させることで（ステップＳＴ７）、決済手続きに必要な具体的な請求額を、例えば、居室機表示部２３に表示させて居住支払者に通知することができる。
【００７１】
この後、居住支払者は、通知された請求額を支払うにあたり必要な支払方法について、居室機２ａの支払用操作部２２を使用して選択する。この操作を検出した居室機ＣＰＵ２７は、支払情報読取部２４を制御し、選択された支払方法に対応して支払用携行手段５ａに保存されている当該請求額にかかる支払情報を読取らせる（ステップＳＴ８）。
【００７２】
また、居室機２ａの居室機ＣＰＵ２７は、支払用暗復号化処理部２６を制御し、支払情報読取部２４にて読取られた支払情報を、前述のように有効であると判断した請求用公開鍵により暗号化させ、この暗号化された支払情報に、送信先である集合玄関機１を指定するための玄関機番号、送信元であるＡ号室内の居室機２ａを示す居室機番号を付加した第２の支払情報信号を生成する。この第２の支払情報信号は、前述の第１の支払情報信号と同様な信号伝送路を経由して集合玄関機１の玄関機Ｉ／Ｆ１８に伝送される（ステップＳＴ９）。
【００７３】
集合玄関機１の玄関機ＣＰＵ１７は、玄関機Ｉ／Ｆ１８にて受信された第２の支払情報信号に付加されている玄関機番号と自玄関機に予め割当てられている玄関機番号とが一致し、支払情報が自玄関機宛ての有効な当該情報であると判断する。
【００７４】
また、集合玄関機１の玄関機ＣＰＵ１７は、請求用暗復号化処理部１６を制御し、有効であると判断した支払情報について、前述の請求用秘密鍵により復号化させることで、居住支払者による支払手続きに対応する支払情報が正当であると判断する（ステップＳＴ１０）。
【００７５】
さらに、集合玄関機１の玄関機ＣＰＵ１７によれば、前述のような、居住支払者による支払手続きに対応する支払情報が正当である旨の情報について、例えば、玄関機表示部１３における確認メッセージや絵データの表示で来訪請求者に通知することができる。
【００７６】
なお、請求用携行端末４に表示機能、例えば、端末表示部（図示せず。）が備えられている場合、集合玄関機１の玄関機ＣＰＵ１７は、前述のような、居住支払者による支払手続きに対応する支払情報が正当である旨の情報を生成し、破線で示す出力Ｉ／Ｆを経由して請求用携行端末４に送出することで、例えば、端末表示部における確認メッセージや絵データの表示で来訪請求者に通知することもできる。
【００７７】
この後、集合玄関機１の玄関機ＣＰＵ１７は、決済手続きが正常に完了した旨の決済完了情報を生成し、この決済完了情報に、送信先であるＡ号室内の居室機２ａを指定するための居室機番号、送信元である集合玄関機１を示す玄関機番号を付加した決済完了情報信号を生成する。この決済完了情報信号は、前述の呼出信号、請求情報信号及び請求額情報信号と同様な信号伝送路を経由して居室機２ａ、２ｂ、・・・の居室機Ｉ／Ｆ２８に伝送される（ステップＳＴ１１）。
【００７８】
居室機２ａ、２ｂ、・・・において、居室機ＣＰＵ２７はそれぞれ、居室機Ｉ／Ｆ２８にて受信された決済完了情報信号に付加されている居室番号と自居室機に予め割当てられている居室機番号とを照合し、当該居室機番号が一致した場合にのみ、決済完了情報が自居室機宛ての当該情報であると判断する。ここでは、居室機２ａの居室機ＣＰＵ２７のみ当該居室機番号が一致し、決済完了情報が有効であると判断され、例えば、その旨の確認メッセージや絵データ等を居室機表示部２３に表示させる、及び／又は居室機通話部２０の居室機スピーカ２０１から確認音や音声メッセージ等を出力させることで、居住来訪者に決済手続きが正常に完了したことを通知することができる（ステップＳＴ１２、ＳＴ１３）。
【００７９】
なお、来訪請求者によれば、前述のような、決済手続きが正常に完了した旨の通知を、通話成立時における音声信号を使用し、送話音声で居住支払者に通知することもできる。
【００８０】
また、第１の請求／支払動作において、制御機３によれば、玄関機ラインＬ１、居室機ラインＬ２にそれぞれ接続された外部Ｉ／Ｆ３０のネットワ−ク監視部３００は、集合玄関機１からの決済完了情報信号を受信すると、前述の請求情報信号の受信時より継続して遮断させていたインターネット等の外部ネットワーク６との間を再接続する。この制御により、外部ネットワーク６との間が遮断され再接続されるまでの間、玄関機ラインＬ１、居室機ラインＬ２をそれぞれ送受信される前述の各種信号が外部ネットワーク６に伝送されることはなく、情報漏洩の発生が未然に防止されることで防犯性が高められる。
『第２の請求／支払動作（図５を参照。）』
次に、前述の第１の請求／支払動作とは異なる第２の請求／支払動作として、前述のような通話成立時において決済手続きを開始するにあたり（ステップＳＴ５１）、来訪請求者によれば、自身が携行している図１、図２に示す請求用携行端末４の請求用携行記憶部４０に保存されている請求用公開鍵、請求用秘密鍵及び来訪請求者署名情報をそれぞれ、集合玄関機１の請求情報読取部１５にて読取らせる。
【００８１】
また、集合玄関機１の玄関機ＣＰＵ１７は、請求用暗復号化処理部１６を制御し、請求情報読取部１５にて読取られた請求用公開鍵請求用秘密鍵及び来訪請求者署名情報のうち、来訪請求者署名情報について請求用秘密鍵により暗号化させ、前述の請求用公開鍵及び暗号化された来訪請求者署名情報に、送信先であるＡ号室内の居室機２ａを指定するための居室機番号、送信元である集合玄関機１を示す玄関機番号を付加した請求情報信号を生成する。この請求情報信号は、前述の呼出信号と同様な信号伝送路を経由して図３に示す居室機２ａ、２ｂ、・・・の居室機Ｉ／Ｆ２８に伝送される（ステップＳＴ５２）。
【００８２】
なお、制御機３において、玄関機ラインＬ１、居室機ラインＬ２にそれぞれ接続された外部Ｉ／Ｆ３０のネットワ−ク監視部３００は、集合玄関機１からの請求情報信号を受信すると、インターネット等の外部ネットワーク６との間の接続を遮断することができる。
【００８３】
居室機２ａ、２ｂ、・・・において、居室機ＣＰＵ２７はそれぞれ、居室機Ｉ／Ｆ２８にて受信された請求情報信号に付加されている居室番号と自居室機に予め割当てられている居室機番号とを照合し、当該居室機番号が一致した場合にのみ、請求用公開鍵及び暗号化された来訪請求者署名情報がそれぞれ、自居室機宛ての当該鍵及び情報であると判断する。ここでは、居室機２ａの居室機ＣＰＵ２７のみ当該居室機番号が一致し、請求用公開鍵及び暗号化された来訪請求者署名情報が有効であると判断される。
【００８４】
この後、居室機２ａの居室機ＣＰＵ２７は、支払用暗復号化処理部２６を制御し、有効であると判断した来訪請求者署名情報について、居室機記憶部２５から読出した支払用事前信頼済公開鍵により復号化させることで、来訪請求者の身元及び請求用公開鍵が正当であると判断する（ステップＳＴ５３）。
【００８５】
また、居室機２ａの居室機ＣＰＵ２７は、前述のような、来訪請求者の身元及び請求用公開鍵が正当である旨の情報について、例えば、居室機表示部２３における確認メッセージや絵データの表示で居住通知者に通知することができ、その旨の確認情報に、送信先である集合玄関機１を指定するための玄関機番号、送信元であるＡ号室内の居室機２ａを示す居室機番号を付加した確認情報信号を生成する。この確認情報信号は、前述の呼出信号、請求情報信号と逆の信号伝送路を経由して集合玄関機１の玄関機Ｉ／Ｆ１８に伝送される（ステップＳＴ５４）。
【００８６】
集合玄関機１の玄関機ＣＰＵ１７は、玄関機Ｉ／Ｆ１８にて受信された確認情報信号に付加されている玄関機番号と自玄関機に予め割当てられている玄関機番号とが一致し、確認情報が自玄関機宛ての当該情報であると判断する。この玄関機ＣＰＵ１７によれば、前述のような確認情報について、例えば、玄関機表示部１３における確認メッセージや絵データの表示で来訪請求者に通知することができる。
【００８７】
なお、請求用携行端末４に表示機能、例えば、端末表示部（図示せず。）が備えられている場合、集合玄関機１の玄関機ＣＰＵ１７は、前述のような確認情報を生成し、破線で示す出力Ｉ／Ｆを経由して請求用携行端末４に送出することで、例えば、端末表示部における確認メッセージや絵データの表示で来訪請求者に通知することもできる。
【００８８】
また、居住支払者によれば、前述のような確認情報の通知を、通話成立時における音声信号を使用し、送話音声で来訪請求者に通知することもできる。
【００８９】
この後、来訪請求者は、集合玄関機１の請求用操作部１１を使用して決済手続きに必要な請求額を入力する。この操作を検出した玄関機ＣＰＵ１７は、請求用暗復号化処理部１６を制御し、請求額について、前述のように請求情報読取部１５にて読取られた請求用秘密鍵により暗号化させ、この暗号化された請求額情報に、送信先であるＡ号室内の居室機２ａを指定するための居室機番号、送信元である集合玄関機１を示す玄関機番号を付加した請求額情報信号を生成する。この請求額情報信号は、前述の呼出信号、請求情報信号と同様な信号伝送路を経由して居室機２ａ、２ｂ、・・・の居室機Ｉ／Ｆ２８に伝送される（ステップＳＴ５５）。
【００９０】
居室機２ａ、２ｂ、・・・において、居室機ＣＰＵ２７はそれぞれ、居室機Ｉ／Ｆ２８にて受信された請求額情報信号に付加されている居室番号と自居室機に予め割当てられている居室機番号とを照合し、当該居室機番号が一致した場合にのみ、請求額情報が自居室機宛ての当該情報であると判断する。ここでは、居室機２ａの居室機ＣＰＵ２７のみ当該居室機番号が一致し、請求額情報が有効であると判断される。
【００９１】
また、居室機２ａの居室機ＣＰＵ２７は、支払用暗復号化処理部２６を制御し、有効であると判断した請求額情報について、前述のように有効であると判断した請求用公開鍵により復号化させることで（ステップＳＴ５６）、決済手続きに必要な具体的な請求額を、例えば、居室機表示部２３に表示させて居住支払者に通知することができる。
【００９２】
この後、居住支払者は、通知された請求額を支払うにあたり必要な支払方法について、居室機２ａの支払用操作部２２を使用して選択する。この操作を検出した居室機ＣＰＵ２７は、支払情報読取部２４を制御し、選択された支払方法に対応して支払用携行手段５ａに保存されている当該請求額にかかる支払情報を読取らせる（ステップＳＴ５７）。
【００９３】
また、居室機２ａの居室機ＣＰＵ２７は、支払用暗復号化処理部２６を制御し、支払情報読取部２４にて読取られた支払情報を、前述のように有効であると判断した請求用公開鍵により暗号化させ、この暗号化された支払情報に、送信先である集合玄関機１を指定するための玄関機番号、送信元であるＡ号室内の居室機２ａを示す居室機番号を付加した支払情報信号を生成する。この支払情報信号は、前述の確認情報信号と同様な信号伝送路を経由して集合玄関機１の玄関機Ｉ／Ｆ１８に伝送される（ステップＳＴ５８）。
【００９４】
集合玄関機１の玄関機ＣＰＵ１７は、玄関機Ｉ／Ｆ１８にて受信された支払情報信号に付加されている玄関機番号と自玄関機に予め割当てられている玄関機番号とが一致し、支払情報が自玄関機宛ての有効な当該情報であると判断する。
【００９５】
また、集合玄関機１の玄関機ＣＰＵ１７は、請求用暗復号化処理部１６を制御し、有効であると判断した支払情報について、前述の請求用秘密鍵により復号化させることで、居住支払者による支払手続きに対応する支払情報が正当であると判断する（ステップＳＴ５９）。
【００９６】
さらに、集合玄関機１の玄関機ＣＰＵ１７によれば、前述のような、居住支払者による支払手続きに対応する支払情報が正当である旨の情報について、例えば、玄関機表示部１３における確認メッセージや絵データの表示で来訪請求者に通知することができる。
【００９７】
なお、請求用携行端末４に表示機能、例えば、端末表示部（図示せず。）が備えられている場合、集合玄関機１の玄関機ＣＰＵ１７は、前述のような、居住支払者による支払手続きに対応する支払情報が正当である旨の情報を生成し、破線で示す出力Ｉ／Ｆを経由して請求用携行端末４に送出することで、例えば、端末表示部における確認メッセージや絵データの表示で来訪請求者に通知することもできる。
【００９８】
この後、集合玄関機１の玄関機ＣＰＵ１７は、決済手続きが正常に完了した旨の決済完了情報を生成し、この決済完了情報に、送信先であるＡ号室内の居室機２ａを指定するための居室機番号、送信元である集合玄関機１を示す玄関機番号を付加した決済完了情報信号を生成する。この決済完了情報信号は、前述の呼出信号、請求情報信号及び請求額情報信号と同様な信号伝送路を経由して居室機２ａ、２ｂ、・・・の居室機Ｉ／Ｆ２８に伝送される（ステップＳＴ６１）。
【００９９】
居室機２ａ、２ｂ、・・・において、居室機ＣＰＵ２７はそれぞれ、居室機Ｉ／Ｆ２８にて受信された決済完了情報信号に付加されている居室番号と自居室機に予め割当てられている居室機番号とを照合し、当該居室機番号が一致した場合にのみ、決済完了情報が自居室機宛ての当該情報であると判断する。ここでは、居室機２ａの居室機ＣＰＵ２７のみ当該居室機番号が一致し、決済完了情報が有効であると判断され、例えば、その旨の確認メッセージや絵データ等を居室機表示部２３に表示させる、及び／又は居室機通話部２０の居室機スピーカ２０１から確認音や音声メッセージ等を出力させることで、居住来訪者に決済手続きが正常に完了したことを通知することができる（ステップＳＴ６２、ＳＴ６３）。
【０１００】
なお、来訪請求者によれば、前述のような、決済手続きが正常に完了した旨の通知を、通話成立時における音声信号を使用し、送話音声で居住支払者に通知することもできる。
【０１０１】
また、第２の請求／支払動作において、制御機３によれば、前述の第１の請求／支払動作と同様、玄関機ラインＬ１、居室機ラインＬ２にそれぞれ接続された外部Ｉ／Ｆ３０のネットワ−ク監視部３００は、集合玄関機１からの決済完了情報信号を受信すると、前述の請求情報信号の受信時より継続して遮断させていたインターネット等の外部ネットワーク６との間を再接続する。この制御により、外部ネットワーク６との間が遮断され再接続されるまでの間、玄関機ラインＬ１、居室機ラインＬ２をそれぞれ送受信される前述の各種信号が外部ネットワーク６に伝送されることはなく、情報漏洩の発生が未然に防止されることで防犯性が高められる。
【０１０２】
本発明のインターホンシステムにおいては、特定の実施の形態をもって説明してきたが、この形態に限定されるものでなく、本発明の効果を奏する限り、これまで知られた如何なる構成の当該装置であっても採用できるということはいうまでもないことである。
【０１０３】
例えば、本発明の実施例によれば、玄関機として集合玄関に設置される集合玄関機１を適用したが、この態様に限定されるものではない。例えば、戸建住宅や集合住宅の各住戸の住戸玄関に設置される当該玄関機、すなわち、玄関子機を適用することもできる。
【０１０４】
また、本発明の実施例によれば、通信線がそれぞれ接続され、インターネット等の外部ネットワーク６に接続可能であり、玄関機ラインＬ１を経由して集合玄関機１からの決済情報が検出されると、集合玄関機１からの決済完了が検出されるまでの間、外部ネットワーク６との間の接続を遮断するためのネットワーク監視部３００を備える外部Ｉ／Ｆ３０を、制御機３に設けたが、この態様に限定されるものではない。例えば、同様な機能を有する外部Ｉ／Ｆ３０を、制御機３とともに、又は制御機３に代えて、集合玄関機１の例えば、玄関機Ｉ／Ｆ１８の当該回路内（図２を参照。）や居室機２ａ、２ｂ、・・・の例えば、居室機Ｉ／Ｆ２８の当該回路内（図３を参照。）にそれぞれ備えることもでき、情報漏洩の発生を未然に防止することで防犯性がさらに高められる。
【０１０５】
さらに、本発明の実施例によれば、支払情報を読取る支払情報読取部と、支払用公開鍵、支払用秘密鍵、居住支払者署名情報及び支払用事前信頼済公開鍵をそれぞれ保存する記憶部と、支払用の暗復号化処理部とを、居室機２ａ、２ｂ、・・・に備える態様（図３に示す支払情報読取部２４、居室機記憶部２５及び支払用暗復号化処理部２６）について説明したが、この態様に限定されるものではない。例えば、居室機２ａ、２ｂ、・・・に代えて、制御機３に備えることができる。
【符号の説明】
【０１０６】
１……集合玄関機（玄関機）
１０……呼出操作部
１１……請求用操作部
１２……映像撮像部
１４……玄関機通話部
１５……請求情報読取部
１６……請求用暗復号化処理部
１８……玄関機Ｉ／Ｆ（玄関機インターフェース）
２ａ、２ｂ、・・・  ……居室機
２０……居室機通話部
２１……応答操作部
２２……支払用操作部
２３……居室機表示部
２４……支払情報読取部
２５……居室機記憶部
２６……支払用暗復号化処理部
２８……居室機Ｉ／Ｆ（居室機インターフェース）
３……制御機
４……請求用携行端末（請求用携行手段）
４０…請求用携行記憶部
５ａ、５ｂ、・・・……支払用携行手段
Ｌ１……玄関機ライン（通信線）
Ｌ２……居室機ライン（通信線）
【図１】
0005808701.tif 000002
【図２】
0005808701.tif 000003
【図３】
0005808701.tif 000004
【図４】
0005808701.tif 000005
【図５】
0005808701.tif 000006